(57)【特許請求の範囲】
【請求項１】
印刷画像をサムネイル表示する表示部と、
外部から画像データ及び該画像データに関する、撮像装置の機種やファイル作成日時、ユーザ名等のヘッダ情報や、プリントプロダクトＩＤ、印刷のサイズや紙種、枚数、ファイルのフォーマット、日付やタイトル印刷の条件、トリミングや回転の指定といったジョブ情報を含む印刷データが入力される入力部と、
上記画像データ及び上記印刷データが格納されるメモリと、
上記表示部における上記サムネイル表示の表示順序を決定する制御部とを備え、
上記制御部は、上記メモリより上記印刷データが設定された画像データを抽出し、上記表示部に撮影日時の新しい順に並べてサムネイル表示し、上記印刷データが設定された画像データの後に、上記印刷データが設定されていない画像データをサムネイル表示する画像データ表示装置。
【請求項２】
入力部を介して外部から画像データ及び該画像データに関する、撮像装置の機種やファイル作成日時、ユーザ名等のヘッダ情報や、プリントプロダクトＩＤ、印刷のサイズや紙種、枚数、ファイルのフォーマット、日付やタイトル印刷の条件、トリミングや回転の指定といったジョブ情報を含む印刷データが入力され、メモリ内に格納する工程と、
制御部が、上記画像データのうち、上記印刷データが設定された画像データを上記メモリから抽出し、上記印刷データが設定された画像データを表示部に撮影日時の新しい順に並べてサムネイル表示させ、上記印刷データが設定された画像データの後に、上記印刷データが設定されていない画像データをサムネイル表示させる工程とを有する画像データ表示方法。
【請求項３】
画像データ表示装置の制御コンピュータに、
入力部を介して外部から画像データ及び該画像データに関する、撮像装置の機種やファイル作成日時、ユーザ名等のヘッダ情報や、プリントプロダクトＩＤ、印刷のサイズや紙種、枚数、ファイルのフォーマット、日付やタイトル印刷の条件、トリミングや回転の指定といったジョブ情報を含む印刷データが入力され、メモリ内に格納する工程と、
上記画像データのうち、上記印刷データが設定された画像データを上記メモリから抽出し、上記印刷データが設定された画像データを表示部に撮影日時の新しい順に並べてサムネイル表示させ、上記印刷データが設定された画像データの後に、上記印刷データが設定されていない画像データをサムネイル表示させる工程とを実行させる画像データ表示プログラム。
【発明の詳細な説明】
【技術分野】
【０００１】
本発明は、印刷画像を表示する画像データ表示装置及び画像データ表示方法に関し、特に、外部より入力された複数の画像データを所定の順序に基づいてサムネイル表示する画像データ表示装置、画像データ表示方法及び画像データ表示プログラムに関する。
【背景技術】
【０００２】
従来より、大型家電量販店や駅、ホテル等の公共の場に、デジタルスチルカメラやカメラ付き携帯電話等の撮像装置で撮影した画像データを印刷するプリントキオスク端末が設置され、広く用いられている。この種のプリントキオスク端末は、ユーザが持参した画像データが記録されたメモリカードが挿入され、当該メモリカードから画像データを読み出してモニタにサムネイル画像を一覧表示する。ユーザは、モニタに一覧表示されたサムネイル画像の中から印刷したい画像を指定し、印刷を実行していく。
【０００３】
また、近年、画像データを印刷するためのデータ規格であるＤＰＯＦ（Ｄｉｇｉｔａｌ  Ｐｒｉｎｔ  Ｏｒｄｅｒ  Ｆｏｒｍａｔ）（登録商標）が広く採用されている。ＤＰＯＦは、デジタルスチルカメラで記録された画像を印刷する際に必要なデータであり、印刷サイズや枚数、トリミング等の編集設定、撮影日時等のデータからなる。かかるＤＰＯＦの各種データを予め設定し、メモリカードに記憶させておくと、当該メモリカードをプリントキオスク端末に装着するだけで、設定通りの印刷が自動的に行われる。撮影者は、撮像装置のメニューモード等を使って、撮影した画像に対してＤＰＯＦを設定するか否か、またＤＰＯＦの各種データを操作、設定することができる。
【０００４】
プリントキオスク端末は、メモリカードに画像データとは別に格納された印刷データを読み込むことで、ＤＰＯＦの内容に応じた印刷を行うことができるため、印刷する度に印刷データを設定する手間が省け、簡易迅速に所望の画像を印刷することができる。
【０００５】
【特許文献１】特開２００４−３４５９７号公報
【発明の開示】
【発明が解決しようとする課題】
【０００６】
近年のメモリカード等のリムーバル記憶媒体の高容量化に伴い、撮像装置の撮影可能枚数も飛躍的に多くなり、メモリカード内に保存されている画像データの数も膨大となっている。かかる膨大な量の画像データが記録されたメモリカードをプリントキオスク端末に装着すると、メモリカード内に保存されている画像データが全てサムネイル表示され、印刷を希望する画像データを見つけ出すことが困難となってしまう。
【０００７】
またＤＰＯＦデータを参照してＤＰＯＦデータが作成されている画像データのみをサムネイル表示する場合も、撮像装置の設定により画像データ全てにＤＰＯＦデータが作成されていては、結果的に全ての画像データがサムネイル表示されしまうため、この場合も印刷を希望する画像データを見つけ出すことが困難である。
【０００８】
そこで、本発明は、膨大な量の画像データの中から、印刷を希望する画像データを容易に見つけ出すことができるように画像データをサムネイル表示する画像データ表示装置、画像データ表示方法及び画像データ表示プログラムを提供することを目的とする。
【課題を解決するための手段】
【０００９】
上述した課題を解決するために、本発明に係る画像データ表示装置は、印刷画像をサムネイル表示する表示部と、外部から画像データ及び該画像データに関する、撮像装置の機種やファイル作成日時、ユーザ名等のヘッダ情報や、プリントプロダクトＩＤ、印刷のサイズや紙種、枚数、ファイルのフォーマット、日付やタイトル印刷の条件、トリミングや回転の指定といったジョブ情報からなる印刷データが入力される入力部と、上記画像データ及び上記印刷データが格納されるメモリと、上記表示部における上記サムネイル表示の表示順序を決定する制御部とを備え、上記制御部は、上記メモリより上記印刷データが設定された画像データを抽出し、上記表示部に撮影日時の新しい順に並べてサムネイル表示し、上記印刷データが設定された画像データの後に、上記印刷データが設定されていない画像データをサムネイル表示するものである。
【００１０】
また、本発明に係る画像データ表示方法は、入力部を介して外部から画像データ及び該画像データに関する、撮像装置の機種やファイル作成日時、ユーザ名等のヘッダ情報や、プリントプロダクトＩＤ、印刷のサイズや紙種、枚数、ファイルのフォーマット、日付やタイトル印刷の条件、トリミングや回転の指定といったジョブ情報からなる印刷データが入力され、メモリ内に格納する工程と、制御部が、上記画像データのうち、上記印刷データが設定された画像データを上記メモリから抽出し、上記印刷データが設定された画像データを表示部に撮影日時の新しい順に並べてサムネイル表示させ、上記印刷データが設定された画像データの後に、上記印刷データが設定されていない画像データをサムネイル表示させる工程とを有する。
【００１１】
また、本発明に係る画像データ表示プログラムは、画像データ表示装置の制御コンピュータに、入力部を介して外部から画像データ及び該画像データの印刷データが入力され、メモリ内に格納する工程と、上記画像データのうち、上記印刷データが設定された画像データを上記メモリから抽出し、上記印刷データが設定された画像データを表示部に撮影日時の新しい順に並べてサムネイル表示させ、上記印刷データが設定された画像データの後に、上記印刷データが設定されていない画像データをサムネイル表示させる工程とを実行させる。
【発明の効果】
【００１２】
本発明によれば、制御部は、印刷データが設定されている画像データは、印刷データが設定されていない画像データよりも印刷を行う可能性が高いことから、サムネイルの一覧表示を生成する際に、印刷データが設定されている画像データから優先的に表示していく。これにより、ユーザは、印刷を行う可能性の高い画像データから閲覧することができ、膨大な画像データの中から印刷したい画像データを効率よく探し出すことができる。
【発明を実施するための最良の形態】
【００１３】
以下、本発明が適用された画像データ表示装置及び画像データ表示方法について、図面を参照しながら詳細に説明する。この画像データ表示装置は、例えば駅やホテルなどの公共の場に設置され、ユーザが持参したメモリカード等のリムーバル記憶媒体に記憶されている画像データを印刷するサービスを提供するプリントキオスク端末に適用されるプリントシステムに用いられるものである。このプリントシステムは、写真が印刷されることに鑑み、プリンタ装置に、色再現性に優れる昇華型熱転写方式のプリンタが用いられている。
【００１４】
図１に示すように、本発明が適用されたプリントシステム１は、メモリカード等のリムーバル記録媒体より画像データが入力され印刷する画像データを表示し選択させるための画像データ表示装置１０と、画像データ表示装置１０で選択された画像データを印刷するプリンタ装置３０とを備えている。そして、例えば、画像データ表示装置１０とプリンタ装置３０とは、有線又は無線で接続されており、隣り合うように設置され、あるいは一つの筐体内に組み込まれている。
【００１５】
図２に示すように、プリントシステム１を構成する画像データ表示装置１０は、ユーザが持参したリムーバル記録媒体を読み出すための各種ドライブを備えている。具体的に、フラッシュメモリ等の半導体メモリを記憶素子に用いＵＳＢ（Universal Serial Bus）インタフェースで記憶素子に記憶された画像データを読み出すＵＳＢフラッシュメモリリーダ１１と、ＣＤ（Compact Disc）、ＤＶＤ（Digital Versatile Disk）等の光ディスクより画像データを読み出す光ディスクドライブ１２と、フラッシュメモリ等の半導体メモリを記憶素子に用いるメモリカードより記憶素子に格納された画像データを読み出すメモリカードリーダ１３と、ユーザが持参した写真を光学的に読み取るスキャナ１４とを備えている。
【００１６】
また、この画像データ表示装置１０は、ＵＳＢフラッシュメモリリーダ１１、光ディスクドライブ１２、メモリカードリーダ１３、スキャナ１４から入力された画像データを表示すると共にユーザによって操作されるタッチパネル１５と、タッチパネル１５に表示する画像データを一時的に格納する画像メモリ１６と、印刷枚数や画像印刷時画像データの周囲に設けられるフレーム等のテンプレートの使用回数等のログデータを格納する記憶部１７と、全体の動作を制御する制御プログラムや画像データを装飾するフレーム等のテンプレート、画像データに追加する文字及び記号テーブル、及び色テーブルが格納されたＲＯＭ１８と、制御プログラムや選択されたフレーム等のテンプレート等が一時的にロードされるＲＡＭ１９と、所定の時間を計時するタイマ２０と、制御プログラムやユーザによって入力された操作信号に基づいて全体の動作を制御する制御部２１とを備えている。
【００１７】
また、画像データ表示装置１０は、プリンタ装置３０と印刷する画像データを出力するプリンタＩ／Ｆ２２と、インターネット等のネットワークを介して外部の管理装置４０等と通信を行う通信Ｉ／Ｆ２３とを備えている。
【００１８】
タッチパネル１５は、画像データ等を表示する表示部１５ａと、ユーザによって操作されることによって操作信号を発生する入力部１５ｂとを備えている。このタッチパネル１５は、指や専用のペンで画面に触れることで、指や専用のペンが触れた位置を検知して画面上の位置を指定し、制御部２１に操作信号を入力する。具体的には、圧力の変化を感知したり、静電気による電気信号を感知して画面上の位置を特定し、操作信号を発生する。
【００１９】
例えば、タッチパネル１５には、ＵＳＢフラッシュメモリ、光ディスク、メモリカード等に格納された複数の画像データをサムネイル表示し、表示されたサムネイル画像の一又は複数を選択できるようになっている。
【００２０】
画像メモリ１６は、タッチパネル１５に表示する画像データを格納するメモリであって、例えば、選択された画像データの加工処理、例えばズーム処理、ズームする領域を移動する処理、画像データの回転処理、文字等のテキストデータの追加処理、フレームとの合成処理等を行ったとき、加工後の画像データを格納し、タッチパネル１５に出力する。
【００２１】
記憶部１７は、ハードディスク等で構成されており、印刷のログデータ等を記録する。例えば、記憶部１７には、ログデータとして、画像データと合成されるフレームの選択数や印刷枚数等が格納される。このログデータは、管理装置４０に送信されることによって、管理者がフレーム等のテンプレートの人気度合い等の参考に利用することができる他、ユーザがフレーム等のテンプレートを選択する際、人気のあるテンプレートを優先的に、テンプレートの選択画面に表示する処理を行うことに用いることができる。また、ログデータは、ＵＳＢフラッシュメモリリーダ１１、光ディスクドライブ１２、メモリカードリーダ１３等に装着されたリムーバル記録媒体に格納することもできる。また、記憶部１７には、フレーム等のデータが格納される。
【００２２】
ＲＯＭ１８は、ＥＰ−ＲＯＭ（Erasable Programmable Read-Only Memory）等でなり、読み込んだ画像データをサムネイル表示するためのブラウザ、画像データを加工するための加工プログラム等を格納している。そして、このような各種プログラムは、操作信号に応じてＲＡＭ１９に読み込まれる。
【００２３】
タイマ２０は、時刻や所定時間を計時する。例えば、タイマ２０によって、上述のログデータは、印刷時刻等に関連付けて記憶部１７に格納されることになる。また、所定期間内の印刷枚数や選択回数をカウントするとき、１箇月間等の所定期間をカウントする。
【００２４】
制御部２１は、ＣＰＵ等で構成されており、操作信号等に応じてプログラムに従った所定の演算処理を行う。
【００２５】
例えば、制御部２１は、タッチパネル１５で所定の単位画像が選択されると、選択された画像データを選択状態にし、表示状態を変える処理を行い、また、選択された画像データに対して加工処理の操作がされたとき、操作信号に応じて、選択された画像データに対して、ズーム処理、ズームする領域を移動する処理、画像データの回転処理、文字等のテキストデータの追加処理、フレームとの合成処理等を行う。
【００２６】
プリンタＩ／Ｆ２２は、プリンタ装置３０と有線又は無線で接続され、印刷する画像データをプリンタ装置３０に対して出力する。また、通信Ｉ／Ｆ２３は、インターネット等のネットワークを介して例えば管理装置４０と接続されている。例えば、通信Ｉ／Ｆ２３は、記憶部１７に格納されたログデータ等を管理装置４０に、ＴＣＰ／ＩＰ等所定のプロトコルに従って送信する。
【００２７】
プリンタＩ／Ｆ２２を介して画像データ表示装置１０と接続されるプリンタ装置３０は、図２に示すように、普通紙等に対してインクリボンの染料を昇華してカラー画像を形成するサーマルヘッド３１と、印刷する印刷データを画像データ表示装置１０のプリンタＩ／Ｆ２２より入力された画像データより生成する印刷データ生成部３２と、サーマルヘッド３１を駆動制御するヘッド制御部３３と、インクリボンを走行させるインクリボン走行部３４と、記録紙を搬送する記録紙搬送部３５とを備えている。
【００２８】
サーマルヘッド３１は、ロール紙等の幅方向に直線的に複数個の発熱素子が配列されており、印画データに応じた駆動電流が発熱素子に供給されることによって、複数の発熱素子を選択的に発熱させる。このサーマルヘッド３１は、プラテンと対峙しており、記録紙に対してインクリボンを圧接し、インクリボンの側から熱エネルギを印加することによって、染料等を昇華し、記録紙に染料を転写させる。
【００２９】
印刷データ生成部３２は、画像データを印刷データに変換する。具体的に、印刷データ生成部３２は、画像データをインク色であるＹＭＣ色空間に変換する色変換処理を施し、ロール紙の発色特性に合わせたガンマ変換処理等の所定の処理を行う。そして、ヘッド制御部３４は、印刷データ生成部３２で生成された印刷データに応じてサーマルヘッド３１の駆動信号を生成し、この駆動信号をサーマルヘッド３１に供給することによって、印刷する画像データに応じてサーマルヘッド３１を駆動制御する。
【００３０】
また、インクリボン走行部３４は、リボンカートリッジに、供給リールと巻回リールとに巻回されたインクリボンを走行させる。ここで、インクリボンは、例えばイエロー、シアン、マゼンタ、ラミネートフィルムの順で走行方向に面順次で並んで設けられており、一組のイエロー、シアン、マゼンタ、ラミネートフィルムで一枚の写真を記録紙に形成するようになっている。
【００３１】
記録紙搬送部３５は、搬送ローラや複数の駆動ローラ等を有しており、ロール紙等の記録紙を、給紙部からサーマルヘッド３１を介して排紙部まで搬送する。記録紙には、画像を形成するため、イエロー、シアン、マゼンタ、ラミネートフィルムを順に転写する必要がある。そこで、記録紙搬送部３５は、先ず、記録紙をインクリボンと同期させて走行させることでイエローが記録紙に熱転写されると、次いで、記録紙を逆方向に走行させて頭出しをし、シアンがイエロー上に熱転写されるようにし、更に、記録紙を逆方向に走行させて頭出しをし、マゼンタがシアン上に熱転写されるようにし、これを繰り返して、イエロー、シアン、マゼンタ、ラミネートフィルムの順で記録紙に対して熱転写を行うことができるようにする。
【００３２】
次に、本発明が適用されたプリンタシステム１において、ユーザが持参したリムーバル記録媒体から画像データを読み出し、印刷に供する画像データを選択可能にタッチパネル１５に表示する手順を説明する。画像データ表示装置１０は、操作待機状態においてはタッチパネル１５の表示部１５ａに、待機画面（図示せず）が表示され、この待機画面に表示されているスタートボタンがタッチされると、図３に示すメディア選択画面５０が表示される。
【００３３】
メディア選択画面５０は、画像データや印刷データを読み込むメディアを選択するための画面であり、ＵＳＢフラッシュメモリリーダ１１、光ディスクドライブ１２、メモリカードリーダ１３にそれぞれ装着されたＵＳＢメモリ、光ディスク、各種メモリカードを表すアイコンにタッチすることによりメディアを指定することができる。
【００３４】
画像データを読み込むメディアが指定されると、表示部１５ａには、図４に示すように、印刷メニュー画面５１が表示される。印刷メニュー画面５１は、読み込んだ画像データの印刷方法を選択するものであり、例えばＬサイズ（１２７ｍｍ×８９ｍｍ）、ＫＧサイズ（１５２ｍｍ×１０２ｍｍ）、２Ｌ（１７８ｍｍ×１２７ｍｍ）、Ａ４（２９７ｍｍ×２１０ｍｍ）などの印刷サイズ選択アイコン５１ａや、「Quick Print All Pictures」「Border」「Collage」「Scrapbook」などの特殊メニューアイコン５１ｂが表示される。
【００３５】
印刷サイズ選択アイコン５１ａは、印刷サイズを決定するためのアイコンであり、制御部２１は、選択されたサイズをデフォルトサイズとして設定し、ユーザが個々の画像データに対するサイズ変更操作を行わない限り、選択された画像データを印刷サイズ選択アイコン５１ａで設定されたデフォルトサイズで印刷する。
【００３６】
特殊メニューアイコン５１ｂのうち、「Quick Print All Pictures」アイコンは、読み込まれた全画像データを印刷するように設定するものである。また「Border」アイコンは、読み込まれた画像データに各種フレーム等のテンプレートを用いて装飾を施すように設定するものである。また「Collage」アイコンは、読み込まれた画像データの一部分又は全部を切り取り他に読み込まれた画像データに貼り付けることによって一枚の印刷画像を構成するように編集を行うものである。また「Scrapbook」アイコンは、読み込まれた画像データの一部分を切り取り他の画像データと共に一枚の印刷画面に貼り付けるなどの各種編集を施して印刷するためのものである。
【００３７】
その他の特殊メニューアイコン５１ｂは、上述した「Border」「Collage」「Scrapbook」などの編集を画像データ毎に施す「Creative Print」、画像データをＣＤ−Ｒ等の光ディスクに記録する「CD Creation」、全画像を一覧表示して印刷する「Index Print」等が表示される。なお、これら印刷サイズ選択アイコン５１ａのサイズや特殊メニューアイコン５１ｂのメニューは適宜追加、変更、削減することができる。
【００３８】
印刷サイズ選択アイコン５１ａのいずれかがタッチされると、画像データ表示装置１０は、制御部２１が、先に指定されたリムーバル記憶媒体に記憶されている画像データを、タッチパネル１５の表示部1５ａにサムネイル表示するために読み出し、画像メモリ１６に保存する。このとき、制御部２１は、リムーバル記憶媒体に記録されている印刷データも読み出し画像メモリ１６に格納し、印刷条件が設定されている画像データを抽出する。
【００３９】
ここで、印刷データは、画像データを印刷するためのデータ規格であり、例えばＤＰＯＦファイルが該当する。ＤＰＯＦは、デジタルスチルカメラ等の撮像装置で撮影した画像を印刷する際に用いられる各種情報を備えた自動プリントファイルを備え、この自動プリントファイルを読むことで、印刷の度に各種印刷条件を設定しなくとも、自動的に所望の印刷を行うことができる。具体的に、ＤＰＯＦファイルには、撮像装置の機種やファイル作成日時、ユーザ名等のヘッダ情報や、プリントプロダクトＩＤ、印刷のサイズや紙種、枚数、ファイルのフォーマット、日付やタイトル印刷の条件、トリミングや回転の指定といったジョブ情報が記述されている。
【００４０】
制御部２１は、かかる印刷データが設定されている画像データを画像メモリ１６から抽出し、図５に示すフローチャートにしたがって、図６に示す印刷画像選択画面５２に、印刷データが設定されている画像データから表示していく。すなわち、制御部２１は、印刷データが設定されている画像データは、印刷データが設定されていない画像データよりも印刷を行う可能性が高いことから、サムネイルの一覧表示を生成する際に、印刷データが設定されている画像データから優先的に表示していく。これにより、ユーザは、印刷を行う可能性の高い画像データから閲覧することができ、メモリカード内に保存されている膨大な画像データの中から印刷したい画像データを効率よく探し出すことができる。
【００４１】
具体的に、制御部２１は、ステップＳ１において、印刷データ設定されている画像データを優先表示させるモードに設定されているか否かを判断し、印刷データ設定されている画像データを優先表示させるモードである場合には、ステップＳ２において、画像メモリ１６に保存されている画像データから、印刷データが設定されている画像データを抽出し、抽出された画像データを撮影日時の新しい順に並べかえる。そして、制御部２１は、ステップＳ３において、印刷画像選択画面５２のサムネイル表示部６１に、印刷データが設定されている画像データを撮影日時の新しい順に表示し、その後に印刷データが設定されていない画像データを表示する。
【００４２】
すなわち、印刷データが設定されている画像データのなかでも、撮影日時が新しいものは、特に印刷を行う可能性が高いと考えられることから、画像データ表示装置１０では、印刷日時の新しい順に表示していくことで、ユーザが印刷したい画像データを効率よく探し出すことができる。具体的に、サムネイル表示部６１は、例えば４行４列でサムネイルを表示するものであり、印刷データが設定された撮影日時の最も新しい画像を一番上の行で、最も左端に表示し、その右側にその次に印刷データが設定された撮影日時の新しい画像を表示する。そしてサムネイル表示部６１は、サムネイルを順次右側へ表示していき、５枚目以降は上から２番目の行に左端から右側へ向かって順番に表示していく。
【００４３】
なお、画像データ表示装置１０は、ステップＳ１において、かかる印刷データに基づいて画像データを表示していくモードを採用しない場合には、ステップＳ４にすすみ、制御部２１は、画像メモリ１６に保存した全ての画像データを撮影日時の新しい順に並べ替え、ステップＳ３において、印刷画像選択画面５２のサムネイル表示部６１に、撮影日時の新しい順に表示していく。これにより、印刷データの設定の有無にかかわらず、撮影日時の新しく、印刷される可能性の高い画像データから表示され、ユーザが印刷したい画像データを効率よく探し出すことができる。
【００４４】
以上のようにして、画像データがサムネイル表示されると、次いで、実際に印刷を行う画像データのサムネイルにタッチすることにより特定し、印刷枚数の設定、各種編集を行っていく。ここで、図６に示す画像データがサムネイル表示される印刷画像選択画面５２について説明する。この印刷画像選択画面５２は、画像データのサムネイルが表示されるサムネイル表示部６１と、印刷メニュー画面５０において選択された印刷サイズを表示する印刷サイズ表示部６２と、指定したサムネイル表示に係る画像データを編集する編集画面に移行する編集ボタン６３と、印刷サイズ表示部６２に表示された印刷サイズ以外の印刷サイズを指定するためのサイズ変更ボタン６４と、サイズ毎の印刷枚数を一覧表示するサイズ情報表示部６５と、選択された画像データの印刷枚数を統一的に増減する枚数決定ボタン６６と、選択された画像データの自動色補正の統一的に実行する自動色補正ボタン６７と、印刷画像選択画面５２が複数ページに亘る場合にページを移行するページ送りボタン６８と、印刷メニュー画面５１に戻る戻りボタン６９と、印刷画像選択画面５２における印刷画像の指定を終了し、オーダー確認画面に移行する選択終了ボタン７０と、選択された画像データの印刷写真へ印刷日時を一律に表示させる日付表示ボタン７１と、他のメディアからのデータ読み込みを行うメディア選択ボタン７２と、操作が分からない場合に用いるヘルプボタン７３とが表示される。
【００４５】
サムネイル表示部６１には、メモリカードより読み出した画像データのうち、印刷データが設定されている画像データが、撮影日時の新しい順に順次表示されている。そして、制御部２１は、ユーザが印刷したいサムネイル画像をタッチすると、サムネイルの表示枠を他より太く表示するあるいは当該表示枠の背景色を変える等して、選択状態とするとともに印刷枚数及び印刷枚数を増減させる＋ボタン及び−ボタンを表示する。この状態で編集ボタン６３がタッチされると、制御部２１は、選択された画像データの編集を行う編集画面に移行し、また、サイズ変更ボタン６４がタッチされると、選択された画像データのサイズ変更を行うサイズ変更画面に移行する。なお、制御部２１は、画像データが選択状態とされることにより当該選択された画像データの印刷枚数を自動的に１とし、＋ボタンや−ボタンがタッチされるとタッチ回数に応じて印刷枚数を増減させる。
【００４６】
印刷画像選択画面５２における画像の選択、各種編集や印刷枚数及び印刷サイズの設定が終了し、選択終了ボタンがタッチされると、制御部２１は、注文された枚数とその料金を印刷サイズ毎に表示するとともに、トータルの金額を表示するオーダー確認画面を表示する。また、制御部２１は、編集後の画像データを画像メモリ１６内に格納する。そして、制御部２１は、オーダー確認画面においてＯＫボタンがタッチされると、プリンタ装置３０に編集後の画像データを送信し、プリンタ装置３０の制御部によって当該画像データに基づいて印刷データが生成される。その後、プリンタ装置３０は、印刷データに基づいてサーマルヘッド３１、インクリボン走行部３４及び記録紙搬送部３５を駆動し、指定されたサイズの用紙に編集後の画像データに応じた写真を印刷する。
【図面の簡単な説明】
【００４７】
【図１】本発明が適用されたプリントシステムを示す斜視図である。
【図２】プリントシステムのブロック図である。
【図３】メディア選択画面を示す図である。
【図４】印刷メニュー画面を示す図である。
【図５】画像データの表示順序を決定する工程を示すフローチャートである。
【図６】画像データがサムネイル表示されたタッチパネルを示す図である。
【符号の説明】
【００４８】
１  プリントシステム、１０  画像表示装置、１５  タッチパネル、１６  画像メモリ、３０  プリンタ装置、５０  メディア選択画面、５１  印刷メニュー画面、５２  印刷画像選択画面、６１  サムネイル表示部
【図１】
0005061825.tif 000002
【図２】
0005061825.tif 000003
【図３】
0005061825.tif 000004
【図４】
0005061825.tif 000005
【図５】
0005061825.tif 000006
【図６】
0005061825.tif 000007